(57)【特許請求の範囲】
【請求項１】
平面状のアンテナ装置の仰角および偏波角を調整可能に支持するアンテナ取付装置であって、
前記アンテナ装置の縁部から突出するよう形成された支持部と、
前記支持部を第１の面内において回動可能に支持する本体部と、前記第１の面と直交する第２の面内において固定具に対して回動可能に支持されると共に、前記本体部の一面から突出して形成されている第１起立部と第２起立部とを備える角度調整具と、
前記第１起立部および前記第２起立部をそれぞれ前記第２の面内において回動可能に支持する第１突出部および第２突出部が一面に形成されていると共に、他面に前記アンテナ装置が取り付けられる被支持物を抱持する抱持手段が形成されており、前記第２突出部の一面から前記第１突出部に向かって延伸する軸部が形成されている前記固定具とを備え、
前記角度調整具における前記第１起立部および前記第２起立部の一面にそれぞれ放射状の第３の鋸歯状部が形成されていると共に、該第３の鋸歯状部にそれぞれ歯合する放射状の第４の鋸歯状部が前記固定具における前記第１突出部および前記第２突出部の一面にそれぞれ形成されており、
前記第２突出部に設けられている前記軸部が前記第１起立部に設けられている挿通孔に挿通されると共に、前記第２起立部に設けられている挿通孔に他面からボルト手段が挿通されて前記第１突出部に設けられている孔部に螺合されることにより、前記第１起立部および前記第２起立部が前記第１突出部および前記第２突出部にそれぞれ固着できるようにされて、前記ボルト手段が緩められた際に前記第１起立部および前記第２起立部が前記第１突出部および前記第２突出部に対して回動可能となり、前記ボルト手段が緊締された際に前記第３の鋸歯状部と前記第４の鋸歯状部とが歯合することにより、前記第１起立部および前記第２起立部が前記第１突出部および前記第２突出部に対して回動不能に取り付けられるようになることを特徴とするアンテナ取付装置。
【請求項２】
平面状のアンテナ装置の仰角および偏波角を調整可能に支持するアンテナ取付装置であって、
前記アンテナ装置の縁部から突出するよう形成された支持部と、
前記支持部を第１の面内において回動可能に支持する本体部と、前記第１の面と直交する第２の面内において固定具に対して回動可能に支持されると共に、前記本体部の一面から突出して形成されている第１起立部と第２起立部とを備える角度調整具と、
前記第１起立部および前記第２起立部をそれぞれ前記第２の面内において回動可能に支持する第１突出部および第２突出部が一面に形成されていると共に、他面に前記アンテナ装置が取り付けられる被支持物を抱持する抱持手段が形成されており、前記第２突出部の一面から前記第１突出部に向かって円筒状に突出しているボス部が形成されている前記固定具とを備え、
前記角度調整具における前記第１起立部に設けられている円筒状の嵌合凹部の底面および前記第２起立部の一面にそれぞれ放射状の第３の鋸歯状部が形成されていると共に、該第３の鋸歯状部にそれぞれ歯合する放射状の第４の鋸歯状部が前記固定具における前記第１突出部および前記第２突出部に設けられている前記ボス部の上面にそれぞれ形成されており、
前記第２突出部に設けられている前記ボス部が、前記第１起立部に設けられている前記嵌合凹部に嵌合されると共に、前記第２起立部に形成されている挿通孔に挿通されたボルト手段が、前記第１突出部に設けられている孔部に螺合されることにより前記第１起立部および前記第２起立部が前記第１突出部および前記第２突出部に固着できるようにされて、前記ボルト手段が緩められた際に前記第１起立部および前記第２起立部が前記第１突出部および前記第２突出部に対して回動可能となり、前記ボルト手段が緊締された際に前記第１起立部および前記第２起立部が前記第１突出部および前記第２突出部に対して回動不能に取り付けられるようになることを特徴とするアンテナ取付装置。
【請求項３】
平面状のアンテナ装置の仰角および偏波角を調整可能に支持するアンテナ取付装置であって、
前記アンテナ装置の縁部から突出するよう形成された支持部と、
前記支持部を第１の面内において回動可能に支持する本体部と、前記第１の面と直交する第２の面内において固定具に対して回動可能に支持されると共に、前記本体部の一面から突出して形成されている第１起立部と第２起立部とを備える角度調整具と、
前記第１起立部および前記第２起立部をそれぞれ前記第２の面内において回動可能に支持する第１突出部および第２突出部が一面に形成されていると共に、他面に前記アンテナ装置が取り付けられる被支持物を抱持する抱持手段が形成されており、前記第２突出部の一面から前記第１突出部に向かって円錐状に突出している凸状部が形成されている前記固定具とを備え、
前記角度調整具における前記第１起立部に設けられている円錐状の凹状部の内部および前記第２起立部の一面にそれぞれ放射状の第３の鋸歯状部が形成されていると共に、該第３の鋸歯状部にそれぞれ歯合する放射状の第４の鋸歯状部が前記固定具における前記第１突出部および前記第２突出部に設けられている前記凸状部にそれぞれ形成されており、
前記第２突出部に設けられている前記凸状部が、前記第１起立部に設けられている前記凹状部に嵌合されると共に、前記第２起立部に形成されている挿通孔に挿通されたボルト手段が、前記第１突出部に設けられている孔部に螺合されることにより前記第１起立部および前記第２起立部が前記第１突出部および前記第２突出部に固着できるようにされて、前記ボルト手段が緩められた際に前記第１起立部および前記第２起立部が前記第１突出部および前記第２突出部に対して回動可能となり、前記ボルト手段が緊締された際に前記第１起立部および前記第２起立部が前記第１突出部および前記第２前記突出部に対して回動不能に取り付けられるようになることを特徴とするアンテナ取付装置。
【請求項４】
前記支持部の一面に放射状の第１の鋸歯状部が形成されていると共に、該第１の鋸歯状部に歯合する放射状の第２の鋸歯状部が前記角度調整具における前記本体部の一面に形成されており、前記支持部が前記本体部に螺着手段により固着できるようにされて、前記螺着手段が緩められた際に前記支持部が前記本体部に対して回動可能となり、前記螺着手段が緊締された際に前記第１の鋸歯状部と前記第２の鋸歯状部とが歯合して、前記支持部が前記本体部に対して回動不能に取り付けられるようになることを特徴とする請求項１ないし３のいずれかに記載のアンテナ取付装置。
【請求項５】
前記固定具に対面するよう受け金具を配置し、前記固定具と前記受け金具に嵌挿されているコの字ボルトにナット手段を螺着することにより、前記固定具と前記受け金具との間に挟持された前記被支持物に固着されるようにしたことを特徴とする請求項１ないし３のいずれかに記載のアンテナ取付装置。
【発明の詳細な説明】
【技術分野】
【０００１】
本発明は、アンテナ装置の仰角および偏波角を調整可能に支持するアンテナ取付装置に関する。
【背景技術】
【０００２】
地上デジタル放送は、従来のアナログ放送と異なり、一定レベル以上での到来電波を受信できさえすればデジタル信号であることから鮮明な映像を得られる。従って、地上デジタル放送を受信するアンテナは必ずしも高利得である必要はない。このため、従来のアンテナに比べ、小型で扱いやすい形状のアンテナが期待されており、最近では、そのようなアンテナも生産されるようになってきた。
【発明の開示】
【発明が解決しようとする課題】
【０００３】
しかし、高利得なアンテナでなくても良いとはいえ、アンテナの調整に自由度を持たせて、より受信感度が高くなるようになれば、取付場所などにおいて更に利便性が良くなる。また、アンテナが取り付けられるマストが若干傾いている場所にアンテナを設置する場合でも、マストの傾きを補正できるようにアンテナを設置することができれば、電波をより良好に受信出来るようになる。さらに、住宅街やビル街等では建造物により電波が反射されることから、アンテナをやや上空に向けて設置した方が、受信感度が良くなる事も起こり得る。このような場合には、アンテナの仰角および偏波角を調整することにより解決することができる。
従来からアンテナの仰角および偏波角を調整することのできるアンテナ取付装置は知られているが、そのようなアンテナ取付装置は構造が複雑で大型になってしまい小型のアンテナに適用することが不向きであるという問題点があった。
【０００４】
そこで、本発明はアンテナ装置の仰角および偏波角を調整することのできる小型のアンテナに適用可能なアンテナ取付装置を提供することを目的としている。
【課題を解決するための手段】
【０００５】
上記目的を達成するために、本発明のアンテナ取付装置は、アンテナ装置の縁部から突出するよう形成された支持部が第１の面内において回動可能に固着される本体部と、第１の面と直交する第２の面内において固定具に形成されている突出部に対して回動可能に固着されると共に、本体部の一面から突出して形成されている一対の起立部とが設けられた角度調整具を備えることを最も主要な特徴としている。
【発明の効果】
【０００６】
本発明によれば、アンテナ装置の縁部から突出するよう形成された支持部が第１の面内において回動可能に固着される本体部と、第１の面と直交する第２の面内において固定具に形成されている突出部に対して回動可能に固着されると共に、本体部の一面から突出して形成されている一対の起立部とが設けられた角度調整具を備えていることから、角度調整具により仰角および偏波角の両方を調整することができ、小型のアンテナ装置に適したアンテナ取付装置とすることができる。
【発明を実施するための最良の形態】
【０００７】
本発明の実施例にかかるアンテナ取付装置を備えるアンテナ装置の構成を示す分解斜視図を図１に示す。
図１に示すアンテナ装置１は、アンテナ部２の仰角および偏波角を調整することのできる小型のアンテナ取付装置３を備えている。アンテナ部２は平面状とされ、厚さの薄くされた直方体状のアンテナケース２０を有し、アンテナケース２０内に平面状のアンテナが収納されている。このアンテナは、例えば地上波デジタル放送を受信することができるアンテナとすることができる。
【０００８】
アンテナ部２におけるアンテナケース２０は電波透過性の樹脂材を成形することにより構成されており、樹脂材は例えばＡＥＳ（アクリロニトリル−エチレン・プロピレン・ジエンゴム−スチレン共重合体）樹脂やアクリル樹脂のように誘電率の低い樹脂材とされている。アンテナケース２０の内部には特願２００５−２０５１３１で提案した平面アンテナなどの小型で厚みの薄い平面状のアンテナが収納されている。アンテナケース２０は、例えば縦の長さが約２３０ｍｍ、横の長さが約１５０ｍｍとされており、厚さは収納されるアンテナの構成によるが約１０ｍｍ〜３０ｍｍとすることができる。アンテナケース２０の詳細構成を図４ないし図６に示す。図４はアンテナケース２０の構成を示す側面図であり、図５はアンテナケース２０の構成を示す背面図であり、図６はアンテナケース２０の構成を示す下面図である。これらの図に示すように、アンテナケース２０の下面における長辺の一方の縁部中央から支持部２１が下方へ突出するよう形成されている。支持部２１は上部から下部に向かって次第に幅が狭まるようテーパ状に形成されその頂部が半円状に突出されている。この支持部２１の半円状に突出されている部分のほぼ中央に貫通孔２１ａが形成されていると共に、外側に向いている一面において貫通孔２１ａの周囲に放射状の第１鋸歯状部２１ｂがリング状に形成されている。
【０００９】
アンテナ取付装置３は、蝶ボルト２２、角度調整具３１、固定具３２、マスト受け金具３３、コの字ボルト３４、蝶ボルト３５および一対の蝶ナット３６を備えている。角度調整具３１、固定具３２はＡＥＳ樹脂等の樹脂材を成形することにより、あるいは金属製とされており、マスト受け金具３３は金属板を加工することにより作成されている。
角度調整具３１の詳細構成を図７ないし図１０に示す。図７は角度調整具３１の構成を示す正面図であり、図８は角度調整具３１の構成を示す側面図であり、図９は角度調整具３１の構成を示す背面図であり、図１０は角度調整具３１の構成を示す平面図である。
【００１０】
これらの図に示すように角度調整具３１は、上部が矩形状とされ中央部から下部に向かって次第に幅が狭くされるテーパ状とされ、テーパ状の頂部が半円状に形成されている本体部３１ａを有し、本体部３１ａにおける半円状のほぼ中央にネジ孔３１ｃが形成されている。本体部３１ａの一面において、ネジ孔３１ｃの周囲に放射状の第２鋸歯状部３１ｂがリング状に形成されている。また、本体部３１ａの他面において上部には一対とされる第１起立部３１ｄと第２起立部３１ｇが対面して突出するよう設けられている。第１起立部３１ｄと第２起立部３１ｇは、先端部が半円状に形成されて上部から下部に向かう方向に沿って形成されている。第１起立部３１ｄの半円状部のほぼ中央には第１挿通孔３１ｆが形成され、第１挿通孔３１ｆの周囲に放射状の第３鋸歯状部３１ｅが第１起立部３１ｄの一面において形成されている。また、第２起立部３１ｇの半円状部のほぼ中央には第２挿通孔３１ｈが形成され、第２挿通孔３１ｈの周囲に図示されていないが放射状の鋸歯状部が第２起立部３１ｇの一面において形成されている。
【００１１】
固定具３２の詳細構成を図１７ないし図２０に示す。図１７は固定具３２の構成を示す正面図であり、図１８は固定具３２の構成を示す背面図であり、図１９は固定具３２の構成を示す側面図であり、図２０は固定具３２の構成を示す平面図である。
これらの図に示すように、固定具３２は細長い矩形状の本体部３２ａからなり、本体部３２ａの一面における中央部に縦方向にＶ字状溝部３２ｆが形成されている。このＶ字状溝部３２ｆには、アンテナ装置１が固着されるマストが抱持されてマスト受け金具３３との間にマストが挟持されるようになる。Ｖ字状溝部３２ｆの両側にはそれぞれ第１貫通孔３２ｄと第２貫通孔３２ｅとが形成されている。また、本体部３２ａの他面において第１貫通孔３２ｄおよび第２貫通孔３２ｅの周囲に、第１貫通孔３２ｄおよび第２貫通孔３２ｅに挿通されるネジの頭部が収納可能な円形の凹部が設けられている。さらに、第１貫通孔３２ｄおよび第２貫通孔３２ｅを結ぶ横方向にＵ字状溝３２ｈが形成されている。このＵ字状溝３２ｈには後述するコの字ボルト３４が収納される。この場合、コの字ボルト３４の両側は第１貫通孔３２ｄおよび第２貫通孔３２ｅに挿通される。
【００１２】
第１貫通孔３２ｄおよび第２貫通孔３２ｅの外側にそれぞれ第１突出部３２ｂと第２突出部３２ｃとが本体部３２ａの他面から突出するよう形成されている。この場合、第１突出部３２ｂは側縁より内側に形成されており、第１突出部３２ｂと第２突出部３２ｃの先端部が半円状に形成されて縦方向に形成されている。第１突出部３２ｂの半円状のほぼ中央にはネジ孔３２ｊが形成されており、第１突出部３２ｂの一面において、ネジ孔３２ｊの周囲に放射状の第５鋸歯状部３２ｉがリング状に形成されている。また、図１８および図２０に示すように第２突出部３２ｃの一面であって半円状のほぼ中央からは所定長の軸部３２ｇが第１突出部３２ｂに向かって延伸するよう形成され、第２突出部３２ｃの軸部３２ｇの根本の周囲に放射状の第６鋸歯状部３２ｋ（図２６参照）が形成されている。
【００１３】
金属板を加工することにより作成されているマスト受け金具３３は、横長に形成されてほぼ中央部にＶ字状に折曲されたＶ字部３３ａが形成されている。マスト受け金具３３は、上縁と下縁とが内側にほぼ直交するよう折曲されて曲げ荷重に強くなるようにされており、上縁と下縁における折曲部のＶ字部３３ａの内側にマストに喰い込む複数の尖った歯が形成されている。また、Ｖ字部３３ａの右側には長溝３３ｂが形成され、Ｖ字部３３ａの左側には長孔３３ｃが形成されている。長溝３３ｂと長孔３３ｃには、コの字ボルト３４の端部がそれぞれ挿通される。長溝３３ｂと長孔３３ｃに挿通されて突出したコの字ボルト３４の先端には、一対の蝶ナット３６が螺着される。また、アンテナケース２０に形成されている支持部２１の貫通孔２１ａに蝶ボルト３５が挿通されて、角度調整具３１の本体部３１ａにおけるネジ孔３１ｃに螺合される。さらに、角度調整具３１における第１起立部３１ｄの第１挿通孔３１ｆに固定具３２における第２突出部３２ｃに形成されている軸部３２ｇが挿入されると共に、角度調整具３１における第２起立部３１ｇの第２挿通孔３１ｈに蝶ボルト２２が挿通されて固定具３２における第１突出部３２ｂのネジ孔３２ｊに螺合される。
【００１４】
本発明の実施例にかかるアンテナ取付装置３を備えるアンテナ装置１の構成を示す側面図を図２に、アンテナ装置１を垂直面内において９０°回転させた際の状態を示す側面図を図３に示す。ただし、図２および図３においてはマスト受け金具３３、コの字ボルト３４および蝶ナット３６は省略されて示されている。
図２および図３に示すように、アンテナ取付装置３によりアンテナケース２０に設けられている支持部２１は蝶ボルト３５により角度調整具３１の本体部３１ａに固着されている。この場合、蝶ボルト３５を緩めることによりアンテナケース２０は角度調整具３１に対して蝶ボルト３５を中心として回転可能となる。これにより、アンテナ部２の偏波角を図２に示すように水平偏波を受信するよう設定することができると共に、アンテナケース２０を角度調整具３１に対して約９０°回転させることにより図３に示すように垂直偏波を受信するよう設定することができるようになる。
【００１５】
さらに、角度調整具３１における第１起立部３１ｄの第１挿通孔３１ｆに固定具３２における第２突出部３２ｃに形成されている軸部３２ｇが挿入されると共に、角度調整具３１における第２起立部３１ｇの第２挿通孔３１ｈに蝶ボルト２２が挿通されて固定具３２における第１突出部３２ｂのネジ孔３２ｊに螺合されて固着されている。この場合、蝶ボルト２２を緩めることにより、角度調整具３１が固着されているアンテナケース２０は蝶ボルト２２および軸部３２ｇを中心として固定具に対して回転可能となる。これにより、アンテナ部２の仰角を任意の仰角になるよう調整することができる。仰角は少なくとも−９０°から＋９０°までは設定することができる。なお、仰角は図２に示す水平偏波を受信する場合でも、図３に示す垂直偏波を受信する場合でも同様に調整することができる。
【００１６】
次に、上記した偏波角および仰角を調整する機構の詳細を次に説明する。図１１および図１２に偏波角を調整する機構の組み立て工程を示す。図１１はアンテナケース２０を角度調整具３１に固着する準備工程の状態を示す斜視図であり、図１２はアンテナケース２０を角度調整具３１に固着した状態を示す斜視図である。
アンテナケース２０を角度調整具３１に固着するには、図１１に示すようにアンテナケース２０に形成されている支持部２１における貫通孔２１ａを、角度調整具３１の本体部３１ａに形成されているネジ孔３１ｃに位置合わせする。そして、蝶ボルト３５を支持部２１における貫通孔２１ａに挿通して角度調整具３１におけるネジ孔３１ｃに螺合する。これにより、図１２に示す斜視図のように蝶ボルト３５によりアンテナケース２０に形成されている支持部２１が角度調整具３１に固着される。この場合、蝶ボルト３５を回転中心としてアンテナケース２０は角度調整具３１に回転可能に固着される。
【００１７】
このようにアンテナケース２０に形成されている支持部２１は角度調整具３１に回転可能に固着されていることから、図２に示す構成において蝶ボルト３５を緩めるとアンテナケース２０が角度調整具３１に対して蝶ボルト３５を回転中心として回転可能となることから、アンテナ部２の偏波角の調整を行うことができる。偏波角の調整を行う場合のアンテナケース２０に形成されている支持部２１の角度調整具３１に対する状態を図１３ないし図１６に示す。図１３は、偏波角を０°として水平偏波を受信するよう調整した状態を示す図であり、角度調整具３１とアンテナケース２０に形成されている支持部２１とは平行になる。また、図１４は偏波角を約３０°となるよう調整した状態を示す図であり、角度調整具３１に対してアンテナケース２０に形成されている支持部２１は約３０°傾いて固着されるようになる。さらに、図２９は偏波角を約６０°となるよう調整した状態を示す図であり、角度調整具３１に対してアンテナケース２０に形成されている支持部２１は約６０°傾いて固着されるようになる。さらにまた、図３０は偏波角を約９０°となるよう調整して垂直偏波を受信できる状態を示す図であり、角度調整具３１に対してアンテナケース２０に形成されている支持部２１は約９０°傾いて固着されるようになる。このようにして、アンテナ部２における偏波角の調整が終了した際に、蝶ボルト３５を緊締することによりアンテナケース２０に形成されている支持部２１の一面に形成されている第１鋸歯状部２１ｂが角度調整具３１の一面に形成されている第２鋸歯状部３１ｂに歯合するようになる。これにより、アンテナ部２は角度調整具３１に対して回転不能となり、調整した偏波角を維持することができるようになる。
【００１８】
次に、仰角を調整する機構の組み立て工程を図２１および図２２に示す。図２１は角度調整具３１を固定具３２に固着する準備工程の状態を示す斜視図であり、図２２は角度調整具３１を固定具３２に固着した状態を示す斜視図である。
角度調整具３１を固定具３２に固着するには、図２１に示すように角度調整具３１の第１起立部３１ｄを固定具３２の第２突出部３２ｃに位置合わせすると共に、第２起立部３１ｇを固定具３２の第１突出部３２ｂに位置合わせする。そして、第２突出部３２ｃに形成されている軸部３２ｇに第１起立部３１ｄに形成されている第１挿通孔３１ｆを挿通する。次いで、蝶ボルト２２を第２起立部３１ｇに形成されている第２挿通孔３１ｈに挿通して第１突出部３２ｂに形成されているネジ孔３２ｊに螺合する。これにより、図２２に示すように蝶ボルト２２により角度調整具３１が固定具３２に固着される。この場合、蝶ボルト２２および軸部３２ｇを回転中心として角度調整具３１は固定具３２に対して回転可能に固着される。
【００１９】
このように角度調整具３１は固定具３２に回転可能に固着されていることから、図２に示す構成において蝶ボルト２２を緩めるとアンテナケース２０は蝶ボルト２２および軸部３２ｇを回転中心として上下に回転できるようになる。回転できる様子を図２３ないし図２５に示す。図２３に示す側面図の状態は、固定具３２に対して角度調整具３１を回転しておらず仰角は水平方向に向けられた状態とされており、図２４に示す側面図の状態は、固定具３２に対して角度調整具３１を上方向に回転して仰角が上方向に向けられた状態とされており、図２５に示す側面図の状態は、固定具３２に対して角度調整具３１を下方向に回転して仰角が下方向に向けられた状態とされている。このように、アンテナ部２の仰角を所望の角度で調整することができ、アンテナ部２の仰角を調整した後は、蝶ボルト２２を緊締することにより、第１起立部３１ｄの一面に形成されている第３鋸歯状部３１ｅと第２突出部３２ｃの軸部３２ｇの周りに形成されている第６鋸歯状部３２ｋとが歯合するようになると共に、第２起立部３１ｇの一面に形成されている鋸歯状部と第１突出部３２ｂの一面に形成されている第５鋸歯状部３２ｉとが歯合するようになる。このように、鋸歯状部同士が歯合した結果、角度調整具３１は固定具３２に対して回転不能となり、調整した仰角を維持することができるようになる。
【００２０】
以上説明したように、アンテナケース２０における第１鋸歯状部２１ｂは角度調整具３１における第２鋸歯状部３１ｂに歯合していることから、アンテナケース２０は角度調整具３１に対して所定の角度ずつ回転することができるようになる。また、角度調整具３１における第３鋸歯状部３１ｅおよび第２起立部３１ｇの一面に形成されている鋸歯状部は、固定具３２における第５鋸歯状部３２ｉおよび第６鋸歯状部３２ｋにそれぞれ歯合していることから、角度調整具３１は固定具３２に対して所定の角度ずつ回転することができるようになる。これらの所定の角度は、歯合している鋸歯状部の山と山の間隔により決定され、例えば約１５°とされている。ただし、この角度はアンテナ部２の指向性の鋭さ（半値角）に応じて決定するのが好適である。指向性が鋭い場合は、歯合している鋸歯状部の山と山との間隔を小さくして所定の角度を１０°や５°に設定し、指向性がブロードの場合は、歯合している鋸歯状部の山と山との間隔を大きくして所定の角度を２０°や２５°に設定することが好適とされる。
【００２１】
次に、本発明の実施例にかかるアンテナ取付装置３を備えるアンテナ装置１をマストに取り付ける作業工程を図３０ないし図３２に示す。図３０はアンテナ装置１をマストに取り付ける準備工程を示す斜視図であり、図３１はアンテナ装置１をマストに取り付ける第１工程を示す斜視図であり、図３２はアンテナ装置１をマストに取り付けた状態を示す斜視図である。ただし、各図においてマストは省略して示している。
アンテナ装置１をマストに取り付けるには、図３０に示すようにコの字ボルト３４のネジ部が設けられているコの字に折曲された両端部を固定具３２における本体部３２ａに形成されている第１貫通孔３２ｄおよび第２貫通孔３２ｅに、固定具３２の他面側から挿通して図３１に示す状態とする。この場合、コの字ボルト３４の中央部は本体部３２ａの他面に形成されている図１８に示す構成とされるＵ字状溝３２ｈ内に嵌入される。これにより、固定具３２に角度調整具３１を取り付けても角度調整具３１にコの字ボルト３４が接触あるいは当接することを防止することができる。次いで、固定具３２の一面側から突出したコの字ボルト３４の両端部を、固定具３２にマストを間に位置するよう位置合わせされたマスト受け金具３３の長溝３３ｂおよび長孔３３ｃにそれぞれ挿通し、マスト受け金具３３の長溝３３ｂおよび長孔３３ｃに挿通されて突出したコの字ボルト３４の両先端に蝶ナット３６をそれぞれ螺合する。蝶ナット３６をコの字ボルト３４の両先端に螺合した状態が図３２に示す状態となる。これにより、図３１および図３２においては図示されていないが、固定具３２とマスト受け金具３３との間にアンテナ装置１が取り付けられるマストが挟持され、蝶ナット３６をコの字ボルト３４の両先端に螺着することにより、本体部３２ａに形成されているＶ字状溝部３２ｆに抱持されたマストにＶ字部３３ａの内側に形成されている複数の尖った歯が喰い込んで確実に固着されるようになる。
【００２２】
なお、本発明にかかるアンテナ取付装置３はマストに替えて建造物の壁面にも取り付けることができる。壁面に取り付ける場合は、図３３に示すように一対のネジ３８を固定具３２の他面側から本体部３２ａに形成されている第１貫通孔３２ｄおよび第２貫通孔３２ｅにそれぞれ挿通して壁面等に螺着すればよい。ネジ３８は、取り付ける壁面の材質に応じたネジ、例えば木ネジ、タップネジやコンクリートネジとされる。なお、ネジ３８の頭部は図１８に示す第１貫通孔３２ｄおよび第２貫通孔３２ｅの周囲であるＵ字状溝３２ｈの底面に形成されている円形の凹部内に収納される。
【００２３】
図２１および図２２を参照して説明した角度調整具３１の第１起立部３１ｄを固定具３２の第２突出部３２ｃに軸支する機構の一部拡大図を図２６に示す。図２６の機構は前述したとおりなのでその説明は省略するが、この機構は一例であり、他の機構の例を図２７に示す。
図２７に示す機構では、第１起立部３１ｄにネジ孔３１ｉが形成されていると共に、第２突出部３２ｃには挿通孔３２ｍが形成されており、この挿通孔３２ｍの他面側から蝶ボルト３７が挿通されて第１起立部３１ｄのネジ孔３１ｉに螺合される。これにより、第１起立部３１ｄは第２突出部３２ｃに回転可能に支持されるようになる。なお、第２突出部３２ｃの一面において挿通孔３２ｍの周囲には放射状の第６鋸歯状部３２ｋが形成されている。ここで、蝶ボルト３７が緩められている場合は、第１起立部３１ｄは第２突出部３２ｃに対して回転可能とされ、蝶ボルト３７を緊締すると第１起立部３１ｄの他面に形成されている鋸歯状部と第２突出部３２ｃの一面に形成されている第６鋸歯状部３２ｋとが歯合するようになり、第１起立部３１ｄは第１突出部３２ｂに対して回転不能となり、アンテナ部２は調整した仰角を維持することができるようになる。なお、第１起立部３１ｄと第２起立部３１ｇとは同時に回動されることから、第２起立部３１ｇの第２挿通孔３１ｈに挿通され第１突出部３２ｂのネジ孔３２ｊに螺合されている蝶ボルト２２と蝶ボルト３７とは同時に緩められて回転可能とされると共に、同時に緊締されて回転不能に固着される。
【００２４】
次に、角度調整具３１の第１起立部３１ｄを固定具３２の第２突出部３２ｃに軸支する機構のさらに他の例を図２８に示す。
図１９に示す機構では、第２突出部３２ｃの一面に円盤状のボス部３２ｎが形成されていると共に、第１起立部３１ｄの他面にはボス部３２ｎが嵌合される嵌合凹部３１ｊが形成されている。このボス部３２ｎの上面には放射状の第６鋸歯状部３２ｋが形成されており、嵌合凹部３１ｊの底面には第６鋸歯状部３２ｋが歯合される放射状の鋸歯状部が形成されている。ボス部３２ｎが嵌合凹部３１ｊに嵌合された状態において、第２起立部３１ｇの第２挿通孔３１ｈに挿通され第１突出部３２ｂのネジ孔３２ｊに螺合されている蝶ボルト２２が緩められている場合は、第１起立部３１ｄは第２突出部３２ｃに対して回転可能に支持されるようになる。そして、蝶ボルト２２をネジ孔３２ｊに緊締すると第１起立部３１ｄの嵌合凹部３１ｊの底面に形成されている鋸歯状部と第２突出部３２ｃのボス部３２ｎの上面に形成されている第６鋸歯状部３２ｋとが歯合するようになり、第１起立部３１ｄは第２突出部３２ｃに対して回転不能となり、アンテナ部２は調整した仰角を維持することができるようになる。
【００２５】
次に、角度調整具３１の第１起立部３１ｄを固定具３２の第２突出部３２ｃに軸支する機構のさらに他の例を図２９に示す。
図２９に示す機構では、第２突出部３２ｃの一面に円錐状に中央が盛り上がると共に放射状の鋸歯状部が形成されている凸状鋸歯状部３２ｐが設けられていると共に、第１起立部３１ｄの他面には円錐状に中央がくぼんでいると共に放射状の鋸歯状部が内部に形成されている凹状鋸歯状部３１ｋが設けられている。凸状鋸歯状部３２ｐが凹状鋸歯状部３１ｋに嵌合された状態において、第２起立部３１ｇの第２挿通孔３１ｈに挿通され第１突出部３２ｂのネジ孔３２ｊに螺合されている蝶ボルト２２が緩められている場合は、第１起立部３１ｄは第２突出部３２ｃに対して回転可能に支持されるようになる。そして、蝶ボルト２２をネジ孔３２ｊに緊締すると第２突出部３２ｃの凸状鋸歯状部３２ｐと凹状鋸歯状部３１ｋとが歯合するようになり、第１起立部３１ｄは第２突出部３２ｃに対して回転不能となり、アンテナ部２は調整した仰角を維持することができるようになる。
本発明にかかるアンテナ取付装置３においては、図２６ないし図２９に示す構成のいずれかの構成を採用することができる。
【産業上の利用可能性】
【００２６】
なお、本発明の実施例にかかるアンテナ取付装置を備えるアンテナ装置は、地上デジタル放送を受信するアンテナ装置とすることができる。また、ＵＨＦ帯を送受信するアンテナ装置に適用することもできる。
また、以上の説明において、蝶ボルトおよび蝶ナットを使用するようにしたが、本発明はこれに限るものではなく一般的に用いられているボルトやナットを用いることができる。さらに、鋸歯状部は円形あるいはリング状に形成するものとしたが、鋸歯状部を多角形状や扇状に形成するようにしても良い。
【図面の簡単な説明】
【００２７】
【図１】本発明の実施例にかかるアンテナ取付装置を備えるアンテナ装置の構成を示す分解斜視図である。
【図２】本発明の実施例にかかるアンテナ取付装置を備えるアンテナ装置の構成を示す側面図である。
【図３】本発明の実施例にかかるアンテナ取付装置を備えるアンテナ装置を垂直面内において９０°回転させた際の状態を示す側面図である。
【図４】本発明の実施例のアンテナ取付装置におけるアンテナケースの構成を示す側面図である。
【図５】本発明の実施例のアンテナ取付装置におけるアンテナケースの構成を示す背面図である。
【図６】本発明の実施例のアンテナ取付装置におけるアンテナケースの構成を示す下面図である。
【図７】本発明の実施例のアンテナ取付装置における角度調整具の構成を示す正面図である。
【図８】本発明の実施例のアンテナ取付装置における角度調整具の構成を示す側面図である。
【図９】本発明の実施例のアンテナ取付装置における角度調整具の構成を示す背面図である。
【図１０】本発明の実施例のアンテナ取付装置における角度調整具の構成を示す平面図である。
【図１１】本発明の実施例のアンテナ取付装置における角度調整具をアンテナケースに固着する準備工程の状態を示す斜視図である。
【図１２】本発明の実施例のアンテナ取付装置における角度調整具をアンテナケースに固着した状態を示す斜視図である。
【図１３】本発明の実施例のアンテナ取付装置において偏波角を０°に調整した場合の状態を示す図である。
【図１４】本発明の実施例のアンテナ取付装置において偏波角を約３０°に調整した場合の状態を示す図である。
【図１５】本発明の実施例のアンテナ取付装置において偏波角を約６０°に調整した場合の状態を示す図である。
【図１６】本発明の実施例のアンテナ取付装置において偏波角を約９０°に調整した場合の状態を示す図である。
【図１７】本発明の実施例のアンテナ取付装置における固定具の構成を示す正面図である。
【図１８】本発明の実施例のアンテナ取付装置における固定具の構成を示す背面図である。
【図１９】本発明の実施例のアンテナ取付装置における固定具の構成を示す側面図である。
【図２０】本発明の実施例のアンテナ取付装置における固定具の構成を示す上面図である。
【図２１】本発明の実施例のアンテナ取付装置における角度調整具を固定具に固着する準備工程の状態を示す斜視図である。
【図２２】本発明の実施例のアンテナ取付装置における角度調整具を固定具に固着した状態を示す斜視図である。
【図２３】本発明の実施例のアンテナ取付装置において仰角を水平方向に設定した状態を示す側面図である。
【図２４】本発明の実施例のアンテナ取付装置において仰角を下方向に設定した状態を示す側面図である。
【図２５】本発明の実施例のアンテナ取付装置において仰角を上方向に設定した状態を示す側面図である。
【図２６】本発明の実施例のアンテナ取付装置における第１起立部を第２突出部に軸支する構成の一例を示す斜視図である。
【図２７】本発明の実施例のアンテナ取付装置における第１起立部を第２突出部に軸支する構成の他の例を示す斜視図である。
【図２８】本発明の実施例のアンテナ取付装置における第１起立部を第２突出部に軸支する構成のさらに他の例を示す斜視図である。
【図２９】本発明の実施例のアンテナ取付装置における第１起立部を第２突出部に軸支する構成のさらに他の例を示す斜視図である。
【図３０】本発明の実施例のアンテナ取付装置におけるアンテナ装置をマストに取り付ける準備工程を示す斜視図である。
【図３１】本発明の実施例のアンテナ取付装置におけるアンテナ装置をマストに取り付ける第１工程を示す斜視図である。
【図３２】本発明の実施例のアンテナ取付装置におけるアンテナ装置をマストに取り付けた状態を示す斜視図である。
【図３３】本発明の実施例のアンテナ取付装置におけるアンテナ装置を壁面に取り付ける場合を示す斜視図である。
【符号の説明】
【００２８】
１  アンテナ装置、２  アンテナ部、３  アンテナ取付装置、２０  アンテナケース、２１  支持部、２１ａ  貫通孔、２１ｂ  第１鋸歯状部、２２  蝶ボルト、３１  角度調整具、３１ａ  本体部、３１ｂ  第２鋸歯状部、３１ｃ  ネジ孔、３１ｄ  第１起立部、３１ｅ  第３鋸歯状部、３１ｆ  第１挿通孔、３１ｇ  第２起立部、３１ｈ  第２挿通孔、３１ｉ  ネジ孔、３１ｊ  嵌合凹部、３１ｋ  凹状鋸歯状部、３２  固定具、３２ａ  本体部、３２ｂ  第１突出部、３２ｃ  第２突出部、３２ｄ  第１貫通孔、３２ｅ  第２貫通孔、３２ｆ  Ｕ字状溝部、３２ｇ  軸部、３２ｈ  Ｖ字状溝、３２ｉ  第５鋸歯状部、３２ｊ  ネジ孔、３２ｋ  第６鋸歯状部、３２ｍ  挿通孔、３２ｎ  ボス部、３２ｐ  凸状鋸歯状部、３３  マスト受け金具、３３ａ  Ｖ字部、３３ｂ  長溝、３３ｃ  長孔、３４  コの字ボルト、３５  蝶ボルト、３６  蝶ナット、３７  蝶ボルト、３８  ネジ
【図１】
0004486024.tif 000002
【図２】
0004486024.tif 000003
【図３】
0004486024.tif 000004
【図４】
0004486024.tif 000005
【図５】
0004486024.tif 000006
【図６】
0004486024.tif 000007
【図７】
0004486024.tif 000008
【図８】
0004486024.tif 000009
【図９】
0004486024.tif 000010
【図１０】
0004486024.tif 000011
【図１１】
0004486024.tif 000012
【図１２】
0004486024.tif 000013
【図１３】
0004486024.tif 000014
【図１４】
0004486024.tif 000015
【図１５】
0004486024.tif 000016
【図１６】
0004486024.tif 000017
【図１７】
0004486024.tif 000018
【図１８】
0004486024.tif 000019
【図１９】
0004486024.tif 000020
【図２０】
0004486024.tif 000021
【図２１】
0004486024.tif 000022
【図２２】
0004486024.tif 000023
【図２３】
0004486024.tif 000024
【図２４】
0004486024.tif 000025
【図２５】
0004486024.tif 000026
【図２６】
0004486024.tif 000027
【図２７】
0004486024.tif 000028
【図２８】
0004486024.tif 000029
【図２９】
0004486024.tif 000030
【図３０】
0004486024.tif 000031
【図３１】
0004486024.tif 000032
【図３２】
0004486024.tif 000033
【図３３】
0004486024.tif 000034